(57)【要約】【課題】  記録シートを収納した遮光袋の取り外し作業を容易にし、ユーザの負担を軽減する。【解決手段】  記録シート３３を装填するトレイ２１ａを引き出し可能に備えた画像記録装置において、トレイ２１ａの一縁に沿って設けられ複数枚の記録シート３３を収納した遮光袋２５の一部を挟持しながら巻き取る一対のニップローラ４１，４２と、ニップローラ４１，４２によって巻き取られ折り畳み状になった遮光袋２５を収納保持するニップローラ背面空間部４５とをトレイ２１ａ内に備える。【選択図】  図４
2005249918.tif 000002
【特許請求の範囲】
【請求項１】
記録シートを装填するトレイを引き出し可能に備えた画像記録装置において、前記トレイの一縁に沿って設けられ複数枚の記録シートを収納した遮光袋の一部を挟持しながら巻き取る一対のニップローラと、該ニップローラによって巻き取られ折り畳み状になった前記遮光袋を収納保持するニップローラ背面空間部とを前記トレイ内に備えることを特徴とする画像記録装置。
【請求項２】
前記一対のニップローラの一方には凸部が、他方には前記凸部に整合する凹部が形成され、該凸部及び該凹部によって前記遮光袋を巻き取る構成になっていることを特徴とする請求項１に記載の画像記録装置。
【発明の詳細な説明】
【技術分野】
【０００１】
本発明は、感光性の記録シートに画像を記録する画像記録装置に係り、特に、画像記録装置内で記録シートを遮光袋から取り出す機構を備えた画像記録装置に関する。
【背景技術】
【０００２】
近年、ＣＴ（Ｃｏｍｐｕｔｅｄ  Ｔｏｍｏｇｒａｐｈｙ）装置、ＣＲ（Ｃｏｍｐｕｔｅｄ  Ｒａｄｉｏｇｒａｐｈｙ）装置、ＭＲＩ（Ｍａｇｎｅｔｉｃ  Ｒｅｓｏｎａｎｃｅ  Ｉｍａｇｉｎｇ）装置等のコンピュータ支援診断装置が医療分野において広汎に利用される様になってきており、これら装置を用いて得られた画像情報は、画像処理が施された後、画像記録装置により記録シートに記録される。
【０００３】
画像記録装置はトレイを備え、このトレイ内に、複数枚の記録シートが積層して収納されている。そして、画像情報を記録する時に１枚づつ記録シートがトレイから画像記録部に搬送され、レーザビーム等で画像情報が記録シートに書き込まれ、次に現像部で熱現像され、冷却部で冷却された後、排出される。
【０００４】
記録シートは感光性を有するため、画像記録装置に装填する前には、図６に示す様に、遮光袋１０内に収納されている。図示する例の遮光袋１０内には、コの字状に折曲された当て紙１１と、この当て紙１１内に積層された多数枚のフィルム状の記録シート１２とが収納されている。
【０００５】
遮光袋１０の一端側にはひれ部１０ａが延設されており、他端側にもひれ部１０ｂが延設されている。ひれ部１０ａの先端部分には、図示の例では３つの係合穴１０ｃが並んで設けられている。ひれ部１０ｂは、その先端縁を切断することで、遮光袋１０内が開けられる様になっているが、ひれ部１０ｂが長く延びているため、先端縁を切断しただけでは遮光袋１０内に光は入り込まない。ひれ部１０ａも同じであり、係合穴１０ｃが開けられていても、記録シート１２が露光されることはない。
【０００６】
画像記録装置のトレイ内に記録シートを装填する場合、従来は、下記特許文献１に記載されている様に、トレイを引き出し、図７（ａ）に示す様に、トレイ１３の奥部に設けられた２つのローラ１４，１５の間に遮光袋１０のひれ部１０ａを通し、ひれ部１０ａの先端部に設けられた係合穴１０ｃを、更に奥に設けられている回転ローラ１６の爪１６ａに引っ掛け、反対側のひれ部１０ｂを延ばし、トレイ１３を画像記録装置内に押し込む。
【０００７】
これにより、トレイ１３内は暗室状態となるため、回転ローラ１６をモータで回転して遮光袋１０を、図７（ｂ）に示す様に、巻き取ると、記録シート１２は、当て紙１１ごと、トレイ１３内に装填される。
【０００８】
【特許文献１】特開２００４―２６４１１号公報
【発明の開示】
【発明が解決しようとする課題】
【０００９】
従来の画像記録装置では、遮光袋１０を画像記録装置内で取り外す構成のため、記録シート１２に光を当てることなく作業を行うことができる。しかし、トレイ１３を引き出し、ひれ部１０ａをローラ１４，１５間に通した後、回転ローラ１６の爪１６ａに係合穴１０ｃを引っ掛けるという面倒な作業を、中腰状態で行わなければならないという問題がある。
【００１０】
また、記録シート１２が無くなり新しい記録シート１２を装填する場合には、回転ローラ１６に巻き取られている遮光袋１０を外して捨てる必要がある。しかし、回転ローラ１６の外周部に巻き取られている遮光袋１０を取り外すには、係合穴１０ｃが見える位置に来るまで回転ローラ１６を逆回転させなければならず、作業が面倒である。
【００１１】
本発明の目的は、遮光袋の取り外し作業が容易な画像記録装置を提供することにある。
【課題を解決するための手段】
【００１２】
本発明の画像記録装置は、記録シートを装填するトレイを引き出し可能に備えた画像記録装置において、前記トレイの一縁に沿って設けられ複数枚の記録シートを収納した遮光袋の一部を挟持しながら巻き取る一対のニップローラと、該ニップローラによって巻き取られ折り畳み状になった前記遮光袋を収納保持するニップローラ背面空間部とを前記トレイ内に備えることを特徴とする。
【００１３】
この構成により、遮光袋の係合穴を回転ローラの爪に引っ掛ける作業や、遮光袋を捨てるときに回転ローラから遮光袋を取り外す作業がなくなり、作業性が向上する。
【００１４】
本発明の画像記録装置の前記一対のニップローラの一方には凸部が、他方には前記凸部に整合する凹部が形成され、該凸部及び該凹部によって前記遮光袋を巻き取る構成になっていることを特徴とする。
【００１５】
この構成により、遮光袋を確実に巻き取ることが可能となる。
【発明の効果】
【００１６】
本発明によれば、記録シートを収納した遮光袋の取り外し作業や廃棄作業が容易となり、ユーザの負担が軽減される。
【発明を実施するための最良の形態】
【００１７】
以下、本発明の一実施形態について、図面を参照して説明する。
【００１８】
図１は、本発明の一実施形態に係る画像記録装置の外観斜視図である。この画像記録装置２０は、上から順に３つのトレイ２１ａ，２２ａ，２３ａが設けられており、各トレイ２１ａ，２２ａ，２３ａに、大きさの異なる記録シートが装填可能となっている。図示の例では、一番上のトレイ２１ａを手前に引き出し、新しい記録シートを収納した遮光袋２５を載せた状態を図示している。
【００１９】
図２は、画像記録装置２０の内部構成図である。画像記録装置２０には、３つのトレイ収納部２１，２２，２３が積層されており、各トレイ収納部２１，２２，２３に、夫々対応するトレイ２１ａ，２２ａ，２３ａが収納される。各トレイ２１ａ，２２ａ，２３ａは、図２の紙面の手前側に引き出し可能となっている。
【００２０】
トレイ収納部２１の上段には、画像記録部３０と、現像部３１と、冷却部３２とが設けられており、いずれかのトレイから取り出された１枚の記録シート３３は先ず画像記録部３０に搬送され、ここで、レーザビーム３４によって画像情報が記録される。そして、次に現像部３１に送られた記録シート３３は加熱されて現像され、次に冷却部３２に送られた記録シート３３は図示しない冷却ファンによって風冷され、画像記録装置２０の上面部３４に排出される。
【００２１】
図３は、新しい記録シート３３を収納した遮光袋２５の斜視図である。柔らかな合成樹脂製の遮光袋２５内には、ボール紙等をコの字状に折曲した当て紙２６と、当て紙２６内に積層された複数枚の記録シート３３とが収納されている。また、遮光袋２５の一端側にはひれ部２５ａが延設され、他端側にもひれ部２５ｂが延設されている。この図３の構成は、図６で説明した構成と同じであり、異なるのは、図６の係合穴１０ｃが設けられていない点だけである。
【００２２】
図４は、本実施形態に係る画像記録装置における遮光袋２５の取り外し機構の説明図である。本実施形態では、トレイ２１ａの奥部に設けられた２つの対向するニップローラ４１，４２が回転駆動し、従来の図７の回転ローラ１６を廃止した構造を特徴とする。ニップローラ４１，４２は、トレイ２１ａの奥側の縁に沿って設けられ、その長さは、トレイ２１ａの略幅分とする。これにより、トレイ２１ａに一杯となる大きさの記録シートを収納する遮光袋も確実に取り外し可能となる。
【００２３】
ユーザが新しい記録シート３３を画像記録装置に装填するためにトレイ２１ａ（２２ａ，２３ａでも同様である。）を図１に示す様に引き出し、図示しないレバーを操作すると、図４（ａ）に示す２つのニップローラ４１，４２間が離間する。新しい記録シート３３を収納した遮光袋２５をトレイ２１ａ上に載せ、ひれ部２５ａの先端部をニップローラ４１，４２間に通し、上記レバーを操作すると、ニップローラ４１，４２間が狭まり、ひれ部２５ａは両ローラ４１，４２間に挟持された状態となる。そして、ひれ部２５ｂを延ばして先端縁を切断し、トレイ２１ａを画像記録装置２０内に押し込む。この状態で、ひれ部２５ｂは画像記録装置２０の外部に露出することになる。
【００２４】
次に、図示しないスイッチを押下すると、あるいは、トレイ２１ａが閉められたことを自動的に検知して、図示しない駆動モータが回転を始めると、ローラ４１が矢印Ａ（図４（ａ）参照）方向に、ローラ４２が矢印Ｂ方向に回転し、これにより、遮光袋２５は、矢印Ｃ方向に巻き取られて行く。
【００２５】
図４（ｂ）はトレイ２１ａ内で当て紙２６及び記録シート３３が半分程度露出した状態を示す図であり、ニップローラ４１，４２によって巻き取られた遮光袋２５は、ニップローラ４１，４２の背面空間に折り畳み状すなわちジャムといわれる状態になって収納されるが、遮光袋２５の全てが巻き取られていないため、ニップローラ４１，４２の手前に配置されたセンサ４４は、未だ遮光袋巻取終了を検知していない。センサ４４としては、例えば光を発光し、その反射光を検知するセンサでよい。
【００２６】
遮光袋２５が完全に巻き取られると、図４（ｃ）に示す様に、遮光袋２５の全てが折り畳まれた状態になってニップローラ４１，４２の背面空間４５に収納され、センサ４４は反射光を検出できなくなるため、遮光袋巻取終了を検知する。これにより、駆動モータのスイッチが切れる。
【００２７】
この様にして遮光袋を画像記録装置内で取り外す構成にすると、従来の様に遮光袋のひれ部の係合穴をローラの爪に引っ掛ける作業がなくなり、しかも、取り外し済みの遮光袋を捨てるときは、従来の様に遮光袋がローラの外周囲に巻かれた状態になっていないため、図４（ｃ）の矢印Ｄで示す方向に単に引き抜くだけで済み、廃棄作業が容易となる。
【００２８】
上述した実施形態では、円柱形状の２本のニップローラ４１，４２間に遮光袋を挟み巻き取る構成としたが、例えば図５に示す様に、ニップローラ４１に凸部４１ａを設け、ニップローラ４２に、凸部４１ａに嵌合する凹部４２ａを設け、凸部４１ａと凹部４２ａとで確実に遮光袋を挟み込み巻き取る構成としても良い。
【００２９】
図５では、凸部４１ａを長手方向全長に渡る凸条とし、凹部４２ａを長手方向全長に渡る凹溝としているが、この形状に限るものではない。例えば、各ニップローラ全体を歯車形状とし、両者が噛み合いながら回転する構成でも良く、また、凸部が針状あるいは突起形状で、凹部がこれらの針状あるいは突起形状に整合する穴でもよい。あるいは、凸部をイボイボ形状とし、凹部をこれらに整合する形状としてもよい。更に、凸部４１ａ，凹部４２ａが噛み合いながら遮光袋に穴を開けながら巻き取る構成でも、また、穴は開けずに挟み込みながら巻き取る構成でもよい。
【００３０】
尚、上述した実施形態では、遮光袋に係合穴が設けられていない例で説明したが、図６に示す係合穴が設けられた旧機種用の遮光袋であっても、本実施形態の画像記録装置で取り外すことができることはいうまでもない。
【産業上の利用可能性】
【００３１】
本発明に係る遮光袋取り外し機構を設けると記録シートを収納した遮光袋を容易に取り外すことができ且つこの遮光袋を容易に廃棄できるため、画像記録装置に適用すると有用である。
【図面の簡単な説明】
【００３２】
【図１】本発明の一実施形態に係る画像記録装置の外観斜視図である。
【図２】図１に示す画像記録装置の内部構成図である。
【図３】図１に示す画像記録装置で用いる記録シートを収納した遮光袋の斜視図である。
【図４】図１に示す画像記録装置における遮光袋取り外し機構の説明図である。
【図５】ニップローラの別実施形態の斜視図である。
【図６】従来の画像記録装置で用いる記録シートを収納した遮光袋の斜視図である。
【図７】従来の画像記録装置における遮光袋取り外し機構の説明図である。
【符号の説明】
【００３３】
２０  画像記録装置
２１，２２，２３  トレイ収納部
２１ａ，２２ａ，２３ａ  トレイ
２５  遮光袋
２５ａ，２５ｂ  ひれ部
２６  当て紙
３０  画像記録部
３１  現像部
３２  冷却部
３３  記録シート
４１，４２  ニップローラ
４１ａ  凸部
４２ａ  凹部
４５  ニップローラ背面空間
【図１】
2005249918.tif 000003
【図２】
2005249918.tif 000004
【図３】
2005249918.tif 000005
【図４】
2005249918.tif 000006
【図５】
2005249918.tif 000007
【図６】
2005249918.tif 000008
【図７】
2005249918.tif 000009